(57)【要約】      （修正有）【課題】QRkeyカードを用いて、ユーザーが秘密鍵を簡易に取得出来る方法を提供する。【解決手段】ユーザはQRkeyカードにおけるスキャン情報を取得し、前記QRコードよりウェブサイトリンク及び公開鍵を取得する。ユーザは前記QRコードのウェブサイトリンクと対応するウェブページを開く、ウェブサイトは前記QRコードの公開鍵とマッチングするプライベート鍵を検索し、プライベート鍵を前記QRkeyカードの対応するユーザーに送信する。【選択図】図１
2015091122.tif 000002
【特許請求の範囲】
【請求項１】
秘密鍵を取得する方法であって、
スキャン快速反応秘密鍵QRkeyカードにおける快速反応QRコードのスキャン情報を取得する；中に、前記QRコードがウェブサイトリンク及び公開鍵を含む；
前記QRコードのウェブサイトリンクと対応するウェブページを開く；
前記QRコードの公開鍵とマッチングするプライベート鍵を取得し、かつ前記プライベート鍵を前記QRkeyカードの対応するユーザーに送信することで、前記QRkeyカードの対応するユーザーが前記公開鍵より予め設定された情報を暗号化でき、前記プライベート鍵より暗号化された情報を復号化できる
ことを含むことを特徴とする方法。
【請求項２】
請求項1に記載された方法であって、
スキャン快速反応秘密鍵QRkeyカードにおける快速反応QRコードのスキャン情報を取得してから、前記QRコードのウェブサイトリンクと対応するウェブページを開く前に、さらに、
前記QRkeyカードにおけるQRコードを解析して、前記QRコードのウェブサイトリンク及び公開鍵を取得する
ことを含むことを特徴とする方法。
【請求項３】
請求項1に記載された方法であって、
前記QRコードのウェブサイトリンクと対応するウェブページを開いてから、前記QRコードの公開鍵とマッチングするプライベート鍵を取得する前に、さらに、
前記ウェブページに登録提示メッセージが表示され、前記QRkeyカードと対応するユーザーが登録を行うことを提示し、
前記QRkeyカードと対応するユーザーの登録情報を取得する；中に、前記登録情報がユーザー名及びパスワードを含む
ことを含むことを特徴とする方法。
【請求項４】
請求項1に記載された方法であって、
前記QRコードの公開鍵とマッチングするプライベート鍵を取得し、かつ前記プライベート鍵を前記QRkeyカードの対応するユーザーに送信して、さらに、
プレインストールされたファンクションファイルを取得し、かつプレインストールされたファンクションファイルを前記QRkeyカードと対応するユーザーに送信することで、前記QRkeyカードと対応するユーザーがプレインストールされたファンクションを実行できる
ことを含むことを特徴とする方法。
【請求項５】
請求項1〜4のいずれに記載された方法であって、
前記QRコードの公開鍵とマッチングするプライベート鍵を取得してから、さらに
前記QRコードの公開鍵を処分する
ことを含むことを特徴とする方法。
【請求項６】
秘密鍵を取得する装置であって、
スキャン快速反応秘密鍵QRkeyカードにおける快速反応QRコードのスキャン情報を取得し、前記QRコードがウェブサイトリンク及び公開鍵を含む第1取得モジュールと、
前記QRコードのウェブサイトリンクと対応するウェブページを開く開きモジュールと、
前記QRコードの公開鍵とマッチングするプライベート鍵を取得し、かつ前記プライベート鍵を前記QRkeyカードの対応するユーザーに送信ことで、前記QRkeyカードの対応するユーザーが前記公開鍵より予め設定された情報を暗号化でき、前記プライベート鍵より暗号化された情報を復号化できる第2取得モジュールと
を含むことを特徴とする装置。
【請求項７】
請求項6に記載された装置であって、さらに、
スキャン快速反応秘密鍵QRkeyカードにおける快速反応QRコードのスキャン情報を取得してから、前記QRコードのウェブサイトリンクと対応するウェブページを開く前に、前記QRkeyカードにおけるQRコードを解析して、前記QRコードのウェブサイトリンク及び公開鍵を取得する解析モジュールを含むことを特徴とする装置。
【請求項８】
請求項6に記載された装置であって、さらに、
前記QRコードのウェブサイトリンクと対応するウェブページを開いてから、前記QRコードの公開鍵とマッチングするプライベート鍵を取得する前に、前記ウェブページに登録提示メッセージが表示され、前記QRkeyカードと対応するユーザーが登録を行うことを提示する登録提示モジュールと、
前記QRkeyカードと対応するユーザーの登録情報を取得し、前記登録情報がユーザー名及びパスワードを含む第3取得モジュールと
を含むことを特徴とする装置。
【請求項９】
請求項6に記載された装置であって、
前記第2取得モジュールは、
プレインストールされたファンクションファイルを取得し、かつプレインストールされたファンクションファイルを前記QRkeyカードと対応するユーザーに送信ことで、前記QRkeyカードと対応するユーザーがプレインストールされたファンクションを実行できる取得ユニットを含むことを特徴とする装置。
【請求項１０】
請求項6〜9のいずれに記載された装置であって、さらに、
前記QRコードの公開鍵とマッチングするプライベート鍵を取得してから、前記QRコードの公開鍵を処分する処分モジュールを含むことを特徴とする装置。
【発明の詳細な説明】
【技術分野】
【０００１】
本発明は、通信技術分野に関し、特に秘密鍵を取得する方法及び装置に関わっている。
【背景技術】
【０００２】
通信技術の発展に伴って、インタネットの功能が益々強くなり、ユーザーがネットを通じてチャットしたり、メール、画像、音声、ファイル、図面などの情報を送信したりできる。メール、画像、音声、ファイル、図面などの情報の安全を保護するために、現在ユーザーはよく指紋情報より形成される公開鍵でこれらの情報を暗号化して、それから指紋情報より形成されるプライベート鍵でこれらの情報を復号化する。それによって、これらの情報の安全を保護する。
【０００３】
ところが、本発明を実現する中、発明者は従来技術では指紋センサーを利用することでユーザーの指紋情報を抽出でき、公開鍵及びプライベート鍵を得られるため、秘密鍵を取得する方法が複雑である。
【発明の概要】
【０００４】
従来技術の問題を解決するために、本発明の実施例は秘密鍵を取得する方法及び装置を提供して、本発明の技術案は、具体的に下記のように参照する。
【０００５】
一方では、本発明は秘密鍵を取得する方法を開示され、前記方法は下記の内容を含む：
スキャン快速反応秘密鍵QRkeyカードにおける快速反応QRコードのスキャン情報を取得する；中に、前記QRコードがウェブサイトリンク及び公開鍵を含む；
前記QRコードのウェブサイトリンクと対応するウェブページを開く；
前記QRコードの公開鍵とマッチングするプライベート鍵を取得し、かつ前記プライベート鍵を前記QRkeyカードの対応するユーザーに送信することで、前記QRkeyカードの対応するユーザーが前記公開鍵より予め設定された情報を暗号化して、前記プライベート鍵より暗号化された情報を復号化する。
【０００６】
もう一方では、本発明は秘密鍵を取得する装置を開示され、前記装置は、
スキャン快速反応秘密鍵QRkeyカードにおける快速反応QRコードのスキャン情報を取得し、前記QRコードがウェブサイトリンク及び公開鍵を含む第1取得モジュールと、
前記QRコードのウェブサイトリンクと対応するウェブページを開く開きモジュールと、
前記QRコードの公開鍵とマッチングするプライベート鍵を取得し、かつ前記プライベート鍵を前記QRkeyカードの対応するユーザーに送信ことで、前記QRkeyカードの対応するユーザーが前記公開鍵より予め設定された情報を暗号化でき、前記プライベート鍵より暗号化された情報を復号化できる第2取得モジュールを含む。
【０００７】
本発明の実施例が提供された技術案は、下記の有益な効果を有する。
【０００８】
即ち、QRkeyカードにおけるQRコードをスキャンすることだけで、公開鍵及びプライベート鍵を取得できるので、秘密鍵を取得する方法が簡単で快速である。
【図面の簡単な説明】
【０００９】
本発明実施例の技術案をより一層明確に説明するために、以下実施例に記載された図面について簡単に紹介する。明らかに、下記された図面はただ本発明実施例の一部であり、当業者にとって、創造的な労働をせず、それらの図面から他の図面をもらえる。
【００１０】
【図１】本発明実施例1が提供した秘密鍵を取得する方法のフロー図である。
【図２】本発明実施例2が提供した秘密鍵を取得する方法のフロー図である。
【図３】本発明実施例3が提供した第1種目秘密鍵を取得する装置の構造図である。
【図４】本発明実施例3が提供した第2種目秘密鍵を取得する装置の構造図である。
【図５】本発明実施例3が提供した第3種目秘密鍵を取得する装置の構造図である。
【図６】本発明実施例3が提供した第4種目秘密鍵を取得する装置の構造図である。
【発明を実施するための形態】
【００１１】
本発明の目的、技術案及び優れた点はより一層明確になるために、以下では、図面を参照して本発明の実施形態について詳しく記述する。
【００１２】
実施例1
本発明の実施例1は秘密鍵を取得する方法を開示され、図1に示すように、当該方法は下記の内容を含む。
【００１３】
101：スキャンQRkey（Quick Response key、快速反応秘密鍵）カードにおける快速反応QR（Quick Response、快速反応）コードのスキャン情報を取得する。
【００１４】
中に、QRコードがウェブサイトリンク及び公開鍵を含む。
【００１５】
102：QRコードのウェブサイトリンクと対応するウェブページを開く。
【００１６】
103：QRコードの公開鍵とマッチングするプライベート鍵を取得し、かつプライベート鍵をQRkeyカードの対応するユーザーに送信することで、QRkeyカードの対応するユーザーが公開鍵より予め設定された情報を暗号化でき、プライベート鍵より暗号化された情報を復号化できる。
【００１７】
好ましくは、スキャン快速反応秘密鍵QRkeyカードにおける快速反応QRコードのスキャン情報を取得してから、QRコードのウェブサイトリンクと対応するウェブページを開く前に、該方法はさらに下記の内容を含む。
【００１８】
QRkeyカードにおけるQRコードを解析して、QRコードのウェブサイトリンク及び公開鍵を取得する。
【００１９】
好ましくは、QRコードのウェブサイトリンクと対応するウェブページを開いてから、QRコードの公開鍵とマッチングするプライベート鍵を取得する前に、該方法はさらに下記の内容を含む。
【００２０】
ウェブページに登録提示メッセージが表示され、QRkeyカードと対応するユーザーが登録を行うことを提示し、且つ
QRkeyカードと対応するユーザーの登録情報を取得し、中に、登録情報がユーザー名及びパスワードを含む。
【００２１】
好ましくは、QRコードの公開鍵とマッチングするプライベート鍵を取得し、かつプライベート鍵をQRkeyカードの対応するユーザーに送信して、該方法はさらに下記の内容を含む。
【００２２】
プレインストールされたファンクションファイルを取得し、かつプレインストールされたファンクションファイルをQRkeyカードと対応するユーザーに送信することで、QRkeyカードと対応するユーザーがプレインストールされたファンクションを実行できる。
【００２３】
好ましくは、QRコードの公開鍵とマッチングするプライベート鍵を取得してから、該方法はさらに下記の内容を含む。
【００２４】
QRコードの公開鍵を処分する。
【００２５】
本発明実施例に記載の秘密鍵を取得する方法は、QRkeyカードにおけるQRコードをスキャンすることだけで、公開鍵及びプライベート鍵を取得できるので、秘密鍵を取得する方法が簡単で快速である。ユーザーはユーザー名及びパスワードだけを登録するとロッグインできるため、ロッグインも簡単で快速である。プレインストールされたファンクションファイルを取得し、かつユーザーに送信できるから、ユーザーがプレインストールされたファンクションを使用することを便利にする。QRコードの公開鍵とマッチングするプライベート鍵を取得してから、該QRコードの公開鍵を処分するので、他のユーザは公開鍵及びプライベート鍵を取得できないため、安全性を向上させる。
【００２６】
実施例2
本発明の実施例2は秘密鍵を取得する方法を開示され、図2に示すように、当該方法は下記の内容を含む。
【００２７】
201：スキャン快速反応秘密鍵QRkeyカードにおける快速反応QRコードのスキャン情報を取得する。
【００２８】
中に、QRコードがウェブサイトリンク及び公開鍵を含む。
【００２９】
202：QRkeyカードにおけるQRコードを解析して、QRコードのウェブサイトリンク及び公開鍵を取得する。
【００３０】
203：QRコードのウェブサイトリンクと対応するウェブページを開く。
【００３１】
204：ウェブページに登録提示メッセージが表示され、QRkeyカードと対応するユーザーが登録を行うことを提示する。
【００３２】
具体的には、QRkeyカードと対応するユーザーが登録提示メッセージを見ると対応する登録ウェブページに入って登録を行う。
【００３３】
205：QRkeyカードと対応するユーザーの登録情報を取得する；中に、前記登録情報がユーザー名及びパスワードを含む。
【００３４】
具体的には、ユーザー名及びパスワードだけで登録を完了できるし、かつユーザーは実際の状況に応じて、移動端末のコードなど他の情報を登録できる。
【００３５】
206：QRコードの公開鍵とマッチングするプライベート鍵とプレインストールされたファンクションファイルを取得し、かつプライベート鍵とプレインストールされたファンクションファイルをQRkeyカードと対応するユーザーに送信するため、QRkeyカードと対応するユーザーが公開鍵より予め設定された情報を暗号化でき、プライベート鍵より暗号化された情報を復号化できるし、かつプレインストールされたファンクションを実行できる。
【００３６】
本発明実施例に記載の秘密鍵を取得する方法は、QRkeyカードにおけるQRコードをスキャンすることだけで、公開鍵及びプライベート鍵を取得できるので、秘密鍵を取得する方法が簡単で快速である。ユーザーはユーザー名及びパスワードだけを登録するとロッグインできるため、ロッグインも簡単で快速である。プレインストールされたファンクションファイルを取得し、かつユーザーに送信できるから、ユーザーがプレインストールされたファンクションを使用することを便利にする。QRコードの公開鍵とマッチングするプライベート鍵を取得してから、QRコードの公開鍵を処分するので、他のユーザは公開鍵及びプライベート鍵を取得できないため、安全性を向上させる。
【００３７】
実施例3
本発明の実施例は秘密鍵を取得する方法及び装置を開示され、図3に示すように、当該装置は、
スキャン快速反応秘密鍵QRkeyカードにおける快速反応QRコードのスキャン情報を取得し、QRコードがウェブサイトリンク及び公開鍵を含む第1取得モジュール301と、
QRコードのウェブサイトリンクと対応するウェブページを開く開きモジュール302と、
QRコードの公開鍵とマッチングするプライベート鍵を取得し、かつプライベート鍵をQRkeyカードの対応するユーザーに送信することで、QRkeyカードの対応するユーザーが公開鍵より予め設定された情報を暗号化でき、プライベート鍵より暗号化された情報を復号化できる第2取得モジュール303とが含まれている。
【００３８】
好ましくは、図4に示すように、該装置は更に解析モジュール304を含む。
【００３９】
該解析モジュール304は、スキャン快速反応秘密鍵QRkeyカードにおける快速反応QRコードのスキャン情報を取得してから、QRコードのウェブサイトリンクと対応するウェブページを開く前に、QRkeyカードにおけるQRコードを解析して、QRコードのウェブサイトリンク及び公開鍵を取得する。
【００４０】
好ましくは、図5に示すように、該装置は更に登録提示モジュール305と第3取得モジュール306を含む。
【００４１】
登録提示モジュール305は、QRコードのウェブサイトリンクと対応するウェブページを開いてから、QRコードの公開鍵とマッチングするプライベート鍵を取得する前に、ウェブページに登録提示メッセージが表示され、QRkeyカードと対応するユーザーが登録を行うことを提示する。
【００４２】
第3取得モジュール306は、QRkeyカードと対応するユーザーの登録情報を取得する；中に、登録情報がユーザー名及びパスワードを含む。
【００４３】
好ましくは、第2取得モジュール303は取得ユニットを含む。
【００４４】
該取得ユニットは、プレインストールされたファンクションファイルを取得し、かつプレインストールされたファンクションファイルをQRkeyカードと対応するユーザーに送信することで、QRkeyカードと対応するユーザーがプレインストールされたファンクションを実行できる。
【００４５】
好ましくは、図6に示すように、該装置は更に処分モジュール307を含む。
【００４６】
処分モジュール307は、QRコードの公開鍵とマッチングするプライベート鍵を取得してから、QRコードの公開鍵を処分する。
【００４７】
本発明実施例に記載の秘密鍵を取得する装置は、QRkeyカードにおけるQRコードをスキャンすることだけで、公開鍵及びプライベート鍵を取得できるので、秘密鍵を取得する方法が簡単で快速である。ユーザーはユーザー名及びパスワードだけを登録するとロッグインできるため、ロッグインも簡単で快速である。プレインストールされたファンクションファイルを取得し、かつユーザーに送信できるから、ユーザーがプレインストールされたファンクションを使用することを便利にする。QRコードの公開鍵とマッチングするプライベート鍵を取得してから、QRコードの公開鍵を処分するので、他のユーザは公開鍵及びプライベート鍵を取得できないため、安全性を向上させる。
【００４８】
上記された本発明の実施例の番号は記述するためだけ、実施例の優劣を代表しない。
【００４９】
上記された実施例の全部又は部分の内容はハードウェアより、或いはプログラムより関連ハードウェアを指令することで完成できる。前記プログラムはコンピューターの可読記憶媒体の中に保存できる。前記記憶媒体はROM、磁気ディスク或いは光ディスク等である。当業者としてそれを理解できる。
【００５０】
上記されたのは本発明のよりいい実施例であるが、本発明を制限されない。本発明の主旨及び原則の中に、如何なる訂正、同等取替え、改善等、全部本発明の保護範囲に含まれる。
【図１】
2015091122.tif 000003
【図２】
2015091122.tif 000004
【図３】
2015091122.tif 000005
【図４】
2015091122.tif 000006
【図５】
2015091122.tif 000007
【図６】
2015091122.tif 000008